(57)【要約】【課題】光センサー部から出射された光の乱反射を防止する表示装置用ウインドー部材及びこれを含む表示装置が提供される。【解決手段】本発明の一実施形態による表示装置用ウインドー部材は、表示領域及び前記表示領域の少なくとも一部に隣接する非表示領域が定義されたベース部材と、前記ベース部材の一面の上に前記非表示領域の少なくとも一部に対応するように配置され、第１開口部を具備した第１カラー層と、前記ベース部材及び前記第１カラー層の上に前記第１カラー層の少なくとも一部に対応するように配置され、前記第１開口部と対応する第２開口部を具備した第２カラー層と、前記第１及び第２開口部に向かって入射した赤外線光が前記第１及び第２カラー層の中の少なくとも１つによって反射されることを防止する第３カラー層とを含む。【選択図】図７
2013088806.tif 000002
【特許請求の範囲】
【請求項１】
表示領域と、前記表示領域の少なくとも一部分に隣接する非表示領域とが定義されたベース部材と、
前記ベース部材の一面の上に、前記非表示領域の少なくとも一部に対応するように配置され、第１開口部を具備した第１カラー層と、
前記ベース部材及び前記第１カラー層の上に、前記第１カラー層の少なくとも一部に対応するように配置され、前記第１開口部に対応する第２開口部を具備した第２カラー層と、
少なくとも前記第１開口部の内壁に配置された第３カラー層と、を含むことを特徴とする表示装置用ウインドー部材。
【請求項２】
前記第３カラー層は前記第２開口部の内壁の少なくとも一部にさらに配置されていることを特徴とする請求項１に記載の表示装置用ウインドー部材。
【請求項３】
平面視で、前記第２開口部は前記第１開口部より大きい面積を有し、
前記第２開口部は前記第１カラー層の一部を露出させることを特徴とする請求項１に記載の表示装置用ウインドー部材。
【請求項４】
前記第３カラー層は前記第１カラー層の露出した前記一部にさらに配置されていることを特徴とする請求項３に記載の表示装置用ウインドー部材。
【請求項５】
前記第３カラー層は前記第２開口部の内壁にさらに配置されていることを特徴とする請求項４に記載の表示装置用ウインドー部材。
【請求項６】
前記第３カラー層は前記第２カラー層の露出した一面の少なくとも一部にさらに配置されていることを特徴とする請求項５に記載の表示装置用ウインドー部材。
【請求項７】
前記第１カラー層が配置された前記ベース部材の一面の上に、前記第１開口部に対応するように配置され、前記第１開口部に向かって入射した光の一部を透過させる第４カラー層をさらに含む請求項６に記載の表示装置用ウインドー部材。
【請求項８】
前記第１カラー層は実質的にホワイトカラーを有することを特徴とする請求項１に記載の表示装置用ウインドー部材。
【請求項９】
前記第３カラー層は実質的にブラックカラーを有することを特徴とする請求項８に記載の表示装置用ウインドー部材。
【請求項１０】
映像を表示する表示パネルと、
前記表示パネルを収納するハウジングと、
前記表示パネルの上に配置されたウインドー部材と、を含み、
前記ウインドー部材は、
前記映像を透過する表示領域と、前記表示領域の少なくとも一部分に隣接する非表示領域とが定義されたベース部材と、
前記ベース部材の一面の上に、前記非表示領域の少なくとも一部に対応するように配置され、前記光センサー部に対応する第１開口部を具備した第１カラー層と、
前記ベース部材及び前記第１カラー層の上に、前記第１カラー層の少なくとも一部に対応するように配置され、前記第１開口部に対応する第２開口部を具備した第２カラー層と、
少なくとも前記第１開口部の内壁に配置された第３カラー層と、を含むことを特徴とする表示装置。
【請求項１１】
前記ハウジングに収納され、前記第２開口部に対応するように配置された光センサー部をさらに含むことを特徴とする請求項１０に記載の表示装置。
【請求項１２】
前記光センサー部は、
光を発生する光発生部と、
前記光発生部において発生した前記光を受信する光受信部と、を含むことを特徴とする請求項１１に記載の表示装置。
【請求項１３】
前記光は赤外線光であることを特徴とする請求項１２に記載の表示装置。
【請求項１４】
前記第３カラー層は前記第２開口部の内壁の少なくとも一部にさらに配置されていることを特徴とする請求項１０に記載の表示装置。
【請求項１５】
平面視で、前記第２開口部は前記第１開口部より大きい面積を有し、
前記第２開口部は前記第１カラー層の一部を露出させることを特徴とする請求項１０に記載の表示装置。
【請求項１６】
前記第３カラー層は前記第１カラー層の露出した前記一部にさらに配置されていることを特徴とする請求項１５に記載の表示装置。
【請求項１７】
前記第３カラー層は前記第２開口部の内壁にさらに配置されていることを特徴とする請求項１６に記載の表示装置。
【請求項１８】
前記第３カラー層は前記第２カラー層の露出した一面の上にさらに配置されていることを特徴とする請求項１７に記載の表示装置。
【請求項１９】
前記第１カラー層が配置された前記ベース部材の一面の上に、前記第１開口部に対応するように配置され、前記第１開口部に向かって入射した光の一部を透過させる第４カラー層をさらに含む請求項１８に記載の表示装置用ウインドー部材。
【請求項２０】
表示領域と、前記表示領域の少なくとも一部分に隣接する非表示領域とが定義されたベース部材と、
前記ベース部材の一面の上に、前記非表示領域の少なくとも一部に対応するように配置され、第１開口部を具備した第１カラー層と、
前記ベース部材及び前記第１カラー層の上に、前記第１カラー層の少なくとも一部に対応するように配置され、前記第１開口部と対応する第２開口部を具備した第２カラー層と、
前記第１及び第２開口部に向かって入射した赤外線光が前記第１及び第２カラー層の中の少なくとも１つによって反射されることを防止する第３カラー層と、を含むことを特徴とする表示装置用ウインドー部材。
【発明の詳細な説明】
【技術分野】
【０００１】
本発明は表示装置用ウインドー部材及びこれを含む表示装置に関し、より詳細には表示装置用ウインドー部材、及び前記ウインドー部材と光センサー部とを含む表示装置に関する。
【背景技術】
【０００２】
テレビ、携帯電話機、ナビゲーション、コンピューターモニター、ゲーム機等のような多様な表示装置が開発されている。
【０００３】
前記表示装置は表示パネル、ウインドー部材、及び光センサー部を含む。前記光センサー部は前記ウインドー部材の下部に配置され、光発生部と光受信部とを含む。前記光発生部から前記ウインドー部材の方向へ出射される光が、隣接する使用者等によって反射されて前記光受信部で認識されるか否かによって、前記表示パネルの表示の可否を決定する。前記光は主に赤外線光である。前記光センサー部が含まれた表示装置によって電力消耗を減少させることができる。
【０００４】
前記ウインドー部材は表示装置の外側に配置されて、表示パネル等が外力によって損傷することを防止する。前記ウインドー部材は表示パネルの非表示領域に対応する前記ウインドー部材の内側一部に黒色のカラー層を配置して表示装置の内部が見えないようにしている。
【０００５】
しかし、最近表示装置のデザインを考慮して前記カラー層が黒色でない他の色（特に、白色）を有する表示装置が開発されている。
【０００６】
従来の表示装置には、前記カラー層が黒色でない他の色を有する場合に、白色は黒色に比べて光を反射させる性質が強いので、前記光発生部から出射された前記光がカラー層によって乱反射して、隣接する使用者がいない場合にも前記光受信部において前記乱反射された前記光が認識されて、前記光センサー部の誤作動を生じる問題があった。
【先行技術文献】
【特許文献】
【０００７】
【特許文献１】韓国特許公開第１０−２０１１−００１９１５７号公報
【発明の概要】
【発明が解決しようとする課題】
【０００８】
本発明の目的は、光センサー部から出射された光の乱反射を防止する表示装置用ウインドー部材を提供することにある。
【０００９】
本発明の他の目的は、光センサー部から出射された内部光の乱反射を防止する表示装置用ウインドー部材を含む表示装置を提供することにある。
【課題を解決するための手段】
【００１０】
本発明の一実施形態による表示装置用ウインドー部材は、表示領域及び前記表示領域の少なくとも一部分に隣接する非表示領域が定義されたベース部材と、前記ベース部材の一面の上に前記非表示領域の少なくとも一部に対応するように配置され、第１開口部を具備した第１カラー層と、前記ベース部材及び前記第１カラー層の上に前記第１カラー層の少なくとも一部に対応するように配置され、前記第１開口部と対応する第２開口部を具備した第２カラー層と、少なくとも前記第１開口部の内壁に配置された第３カラー層とを含む。
【００１１】
本発明の他の実施形態による表示装置用ウインドー部材では、前記第３カラー層は前記第２開口部の内壁の少なくとも一部にさらに配置され得る。
【００１２】
本発明のその他の実施形態による表示装置用ウインドー部材では、平面視で、前記第２開口部は前記第１開口部より大きい面積を有し、前記第２開口部は前記第１カラー層の一部を露出させ得る。前記第３カラー層は前記第１カラー層の露出した前記一部にさらに配置され得る。
【００１３】
本発明のその他の実施形態による表示装置用ウインドー部材では、前記第３カラー層は前記第２開口部の内壁にさらに配置され得る。
【００１４】
本発明のその他の実施形態による表示装置用ウインドー部材では、前記第３カラー層は前記第２カラー層の露出した一面の少なくとも一部にさらに配置され得る。
【００１５】
本発明の様々な実施形態による表示装置用ウインドー部材では、前記第１カラー層は実質的にホワイトカラーを有することができる。また、前記第３カラー層は実質的にブラックカラーを有することができる。
【００１６】
本発明の一実施形態による表示装置は映像を表示する表示パネル、前記表示パネルを収納するハウジング、及び前記表示パネルの上に配置されたウインドー部材を含む。前記ウインドー部材は本発明の様々な実施形態による表示装置用ウインドー部材が適用され得る。
【００１７】
本発明の他の実施形態による表示装置は前記ハウジングに収納され、前記第２開口部に対応するように配置された光センサー部をさらに包含できる。前記光センサー部は光を発生させる光発生部、及び前記光発生部において発生した前記光を受信する光受信部を含む。前記光は赤外線光であり得る。
【発明の効果】
【００１８】
本発明の一実施形態による表示装置用ウインドー部材は、第１及び第２カラー層の中の少なくとも１つへ入射する光が乱反射されることを防止する。
【００１９】
本発明の一実施形態による表示装置用ウインドー部材及び光センサー部を含む表示装置は、前記光センサー部において前記第１及び第２カラー層の中の少なくとも１つへ入射する光が乱反射されることを防止する。前記乱反射を防止することによって、前記光センサー部の誤作動を防止する。
【図面の簡単な説明】
【００２０】
【図１】本発明の一実施形態による表示装置の分解斜視図である。
【図２】本発明の様々な実施形態による表示装置用ウインドー部材を示した斜視図である。
【図３】本発明の一実施形態による表示装置用ウインドー部材を図２のＩ−Ｉ’に沿って切断した断面図である。
【図４】本発明の他の実施形態による表示装置用ウインドー部材を図２のＩ−Ｉ’に沿って切断した断面図である。
【図５】本発明のその他の実施形態による表示装置用ウインドー部材を図２のＩ−Ｉ’に沿って切断した断面図である。
【図６】本発明のその他の実施形態による表示装置用ウインドー部材を図２のＩ−Ｉ’に沿って切断した断面図である。
【図７】本発明のその他の実施形態による表示装置用ウインドー部材を図２のＩ−Ｉ’に沿って切断した断面図である。
【図８】本発明のその他の実施形態による表示装置用ウインドー部材を図２のＩ−Ｉ’に沿って切断した断面図である。
【図９】本発明のその他の実施形態による表示装置用ウインドー部材を図２のＩ−Ｉ’に沿って切断した断面図である。
【図１０】図９に図示された表示装置用ウインドー部材と光センサー部とを示した斜視図である。
【図１１Ａ】隣接する使用者がいない場合に図１０のＩＩ−ＩＩ’を沿って切断した断面図である。
【図１１Ｂ】隣接する使用者がいる場合に図１０のＩＩ−ＩＩ’を沿って切断した断面図である。
【発明を実施するための形態】
【００２１】
本発明は多様な変更を加え、様々な形態を有することができるので、特定実施形態を図面に例示し、本文に詳細に説明する。しかし、これは本発明を特定の開示形態に対して限定しようとするものではなく、本発明の思想及び技術範囲に含まれる全ての変更、均等物乃至代替物を含むこととして理解しなければならない。
【００２２】
以下、添付した図面を参照して本発明の望ましい実施形態をより詳細に説明する。
【００２３】
図１は本発明の一実施形態による表示装置である。
【００２４】
図１において、本発明の一実施形態による表示装置は携帯電話を例示的に図示している。しかし、本発明による表示装置は携帯電話に限定されず、テレビ、ナビゲーション、コンピューターモニター、ゲーム機等多様な情報提供装置を含む。
【００２５】
本発明の一実施形態による表示装置は表示パネル１００、前記表示パネル１００を収納するハウジング２００、及び前記表示パネル１００の上に配置されたウインドー部材３００を含む。
【００２６】
前記表示パネル１００は映像を表示する。前記表示パネルは特別に限定されるものではなく、例えば、有機発光表示パネル（ｏｒｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、プラズマ表示装置（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等の多様な表示パネルを包含できる。
【００２７】
前記ハウジング２００は前記表示パネル１００を収納する。図１に、１つの部材から構成されたハウジングを例示的に図示している。しかし、前記ハウジング２００は２つ以上の部材が結合されて構成されることもあり得る。以下、１つの部材に構成されたハウジングを例示的に説明する。
【００２８】
前記ハウジング２００は前記表示パネル１００以外に複数の能動素子（図示せず）及び／又は複数の受動素子（図示せず）が実装された回路基板ＰＣＢをさらに収納する。また、表示装置の種類にしたがってバッテリーのような電源部（図示せず）をさらに収納することができる。
【００２９】
前記ウインドー部材３００は前記表示パネル１００の上に配置され、前記ハウジング２００に結合して、前記ハウジング２００と共に表示装置の外面を構成する。この際、前記表示パネル１００は前記ウインドー部材３００に結合され得る。
【００３０】
前記ウインドー部材３００は、平面の上に前記表示パネル１００において生成された映像が表示される表示領域ＡＲと、前記表示領域ＡＲの少なくとも一部に隣接する非表示領域ＮＡＲとを含む。
【００３１】
前記非表示領域ＮＡＲでは前記映像が表示されない。また、前記非表示領域ＮＡＲの中の少なくとも一部が光センサー領域ＮＡＲ−ＩＲとして定義される。前記光センサー領域ＮＡＲ−ＩＲは後述するように、第１印刷層３１０の第１開口部ＯＰ１が配置された領域である。
【００３２】
前記表示装置は、前記ハウジング２００に収納されて前記光センサー領域ＮＡＲ−ＩＲに光を提供し、提供した前記光の一部を受信する光センサー部４００をさらに包含できる。前記光センサー部４００は、前記光センサー部４００内部において発生した光が前記ウインドー部材３００外部へ進行する途中に隣接する使用者等によって反射されて、前記光の一部が前記光センサー部４００において受信されたか否かにしたがって、表示パネル１００の表示の可否を決定する。前記光は赤外線光であり得る。
【００３３】
図１には図示されないが、前記表示装置はタッチパネルをさらに包含できる。前記タッチパネルには抵抗式タッチパネル又は静電容量式タッチパネル等が採用できる。
【００３４】
図２は、図１に図示された表示装置の様々な実施形態によるウインドー部材を示した斜視図であり、図３乃至図８は、本発明の様々な実施形態として図２のＩ−Ｉ’に沿って切断した断面図である。図３乃至図８における同一の構成要素には、同一の参照符号を付する。
【００３５】
以下、図２及び図３を参照して本発明の一実施形態による前記ウインドー部材３００に対してより詳細に検討する。
【００３６】
前記ウインドー部材３００はベース部材３１０、第１開口部ＯＰ１を具備した第１カラー層３２０、第２開口部ＯＰ２を具備した第２カラー層３３０、及び第３カラー層３４０を含む。
【００３７】
前記ベース部材３１０は透明な板形状の部材であり、平面の上で前記映像が透過する表示領域ＡＲと、前記表示領域ＡＲの少なくとも一部に隣接する非表示領域ＮＡＲとを含む。
【００３８】
図２に図示されたように、前記表示領域ＡＲは前記非表示領域ＮＡＲによって囲まれる。しかし、これに限定されず、前記非表示領域ＮＡＲは平面の上で前記表示領域ＡＲを介して２つの領域に分割され得る。
【００３９】
前記ベース部材３１０にはガラスを採用することができ、通常のガラスより硬度が高い強化ガラスを採用することが望ましい。また、プラスチックを採用することができ、プラスチックの中でもポリカーボネートのような透明な強化プラスチックを採用することが望ましい。
【００４０】
前記第１カラー層３２０は前記ベース部材３１０の一面の上に配置され、前記非表示領域ＮＡＲの少なくとも一部に対応するように配置される。図２は、前記第１カラー層３２０が前記非表示領域ＮＡＲの全部分に対応するように配置されたことを例示的に図示している。前記第１カラー層３２０は、前記ベース部材３１０の他面の上から入射する光を吸収するか、或いは反射する。
【００４１】
前記第１カラー層３２０は実質的にホワイトカラーを有することができる。しかし、前記ホワイトカラーは光を反射する程度が最も大きいので、本発明の一実施形態の効果が大きく表れるという意味で選択されたカラーに過ぎず、本発明はこれに制限されない。例えば前記第１カラー層３２０は、全て光を吸収するブラックカラーを除外したレッド、グリーン、ブルー、ブラウン、グレー、ピンク、イエロー等のカラーを有することができる。
【００４２】
前記第１カラー層３２０は複数の層の形で提供され得る。一例として、ホワイトカラーは他のカラーに比べて外部の光を遮断する効果が弱いので、他のカラーよりも多層の形で提供され得る。
【００４３】
前記第１カラー層３２０は第１開口部ＯＰ１を具備する。前記第１開口部ＯＰ１は前記光センサー領域ＮＡＲ−ＩＲに対応する。図２は、１つの第１開口部ＯＰ１を具備した第１カラー層３２０を含むウインドー部材３００を例示的に図示している。図２では、前記第１開口部ＯＰ１は平面の上で円形であることを図示したが、光が通過することができれば、形状に制限されず三角形、四角形、楕円形及び不規則形であり得る。
【００４４】
前記第２カラー層３３０は前記ベース部材３１０及び前記第１カラー層３２０の上に配置されるとともに、前記第１カラー層３２０の少なくとも一部に対応するように配置される。前記第２カラー層３３０は前記第１カラー層３２０と共に、前記ベース部材３１０の他面の上から入射する光を吸収するか、或いは反射させる。
【００４５】
前記第２カラー層３３０はグレー等のカラーを有するが、これに制限されない。前記第２カラー層３３０は、前記ベース部材３１０の他面の上から入射して前記第１カラー層３２０を通過した光によって前記表示装置外部から認識できるので、前記第１カラー層３２０のカラーを維持できる何らかのカラーも有することができる。
【００４６】
前記第２カラー層３３０は複数の層の形で提供され得る。
【００４７】
前記第２カラー層３３０は第２開口部ＯＰ２を具備する。前記第２開口部ＯＰ２は前記第１開口部ＯＰ１に対応する。前記第２開口部ＯＰ２は平面の上で円形であるが、光が通過することができれば、形状は制限されず、三角形、四角形、楕円形及び不規則形とし得る。
【００４８】
前記第３カラー層３４０は、前記第１及び第２開口部ＯＰ１、ＯＰ２に向かって入射した光が前記第１及び第２カラー層３２０、３３０の中の少なくとも１つによって反射されることを防止するために配置される。
【００４９】
前記第３カラー層３４０は前記第１開口部ＯＰ１内壁に配置される。前記第３カラー層３４０は前記第１開口部ＯＰ１に連結された第１カラー層３２０の側壁が露出することを防止する。
【００５０】
前記第３カラー層３４０は実質的にブラックカラーを有することができる。しかし、これに制限されることはなく、前記第１及び第２開口部ＯＰ１、ＯＰ２に向かって入射した光が前記第１及び第２カラー層３２０、３３０の中の少なくとも１つによって反射されることを防止することができれば、何らかのカラーも有することができる。
【００５１】
前記第３カラー層３４０は複数の層の形で提供され得る。
【００５２】
以下、図４乃至図８に図示された本発明の様々な実施形態によるウインドー部材３００は、ベース部材３１０、第１カラー層３２０、第２カラー層３３０、及び第３カラー層３４０を含む。前記図４乃至図８に図示された本発明の様々な実施形態によるウインドー部材３００は、図３に図示された本発明の一実施形態によるウインドー部材３００と実質的に同一のベース部材３１０及び第１カラー層３２０を有するので、具体的な説明を省略し、第２カラー層３３０及び第３カラー層３４０に対して詳細に検討する。
【００５３】
以下、図２及び図４を参照して本発明の他の実施形態によるウインドー部材３００に対して検討する。
【００５４】
前記第２カラー層３３０は、図３に図示された本発明の一実施形態の前記第２カラー層３３０と実質的に同一であるので、具体的な説明を省略する。
【００５５】
前記第３カラー層３４０は前記第１及び第２開口部ＯＰ１、ＯＰ２に向かって入射された光が前記第１及び第２カラー層３２０、３３０の中の少なくとも１つによって反射されることを防止するために配置される。
【００５６】
前記第３カラー層３４０は前記第１開口部ＯＰ１の内壁と、前記第２開口部ＯＰ２の内壁の少なくとも一部とに配置される。前記第３カラー層３４０は、前記第１開口部ＯＰ１に連結された第１カラー層３２０の側壁と、第２開口部ＯＰ２に連結された第２カラー層３３０の一部とが露出することを防止する。
【００５７】
前記第３カラー層３４０は実質的にブラックカラーを有することができる。しかし、これに制限されることはなく、前記第１及び第２開口部ＯＰ１、ＯＰ２に向かって入射した光が前記第１及び第２カラー層３２０、３３０の中の少なくとも１つによって反射されることを防止することができれば、何らかのカラーも有することができる。
【００５８】
前記第３カラー層３４０は複数の層の形で提供され得る。
【００５９】
以下、図２及び図５を参照して本発明のその他の実施形態によるウインドー部材３００に対して検討する。
【００６０】
前記第２カラー層３３０は、前記ベース部材３１０及び前記第１カラー層３２０の上に配置されるとともに、前記第１カラー層３２０の少なくとも一部に対応するように配置される。前記第２カラー層３３０は前記第１カラー層３２０と共に前記ベース部材３１０の他面の上から入射する光を吸収するか、或いは反射させる。
【００６１】
前記第２カラー層３３０はグレー等のカラーを有するが、これに制限されない。前記第２カラー層３３０は前記ベース部材３１０の他面の上から入射して前記第１カラー層３２０を通過した光によって前記表示装置の外部から認識できるので、前記第１カラー層３２０のカラーを維持できる何らかのカラーも有することができる。
【００６２】
前記第２カラー層３３０は第２開口部ＯＰ２を具備する。前記第２開口部ＯＰ２は前記第１開口部ＯＰ１に対応する。平面の上で前記第２開口部ＯＰ２は前記第１開口部ＯＰ１より大きい面積を有する。前記第２開口部ＯＰ２は前記第１カラー層３２０の一部を露出させる。前記第２開口部ＯＰ２は平面の上で円形であるが、光が通過することができれば、形状は制限されず、三角形、四角形、楕円形及び不規則形であり得る。
【００６３】
前記第２カラー層３３０は複数の層の形で提供され得る。
【００６４】
前記第３カラー層３４０は、前記第１及び第２開口部ＯＰ１、ＯＰ２に向かって入射した光が前記第１及び第２カラー層３２０、３３０の中の少なくとも１つによって反射されることを防止するために配置される。
【００６５】
前記第３カラー層３４０は、前記第１開口部ＯＰ１の内壁及び前記第１カラー層の露出した前記一部に配置される。前記第３カラー層３４０は前記第１開口部ＯＰ１に連結された第１カラー層３２０の側壁、前記第１カラー層３２０の露出した前記一部、及び第２開口部ＯＰ２に連結された第２カラー層３２０の一部が露出することを防止する。
【００６６】
前記第３カラー層３４０は実質的にブラックカラーを有することができる。しかし、これに制限されることはなく、前記第１及び第２開口部ＯＰ１、ＯＰ２に向かって入射した光が前記第１及び第２カラー層３２０、３３０の中の少なくとも１つによって反射されることを防止することができれば、何らかのカラーも有することができる。
【００６７】
前記第３カラー層３４０は複数の層の形で提供され得る。
【００６８】
以下、図２及び図６を参照して本発明のその他の実施形態によるウインドー部材３００に対して検討する。
【００６９】
前記第２カラー層３３０は、図５に図示された本発明のその他の実施形態の前記第２カラー層３３０と実質的に同一であるので、具体的な説明を省略する。
【００７０】
前記第３カラー層３４０は、前記第１及び第２開口部ＯＰ１、ＯＰ２に向かって入射した光が前記第１及び第２カラー層３２０、３３０の中の少なくとも１つによって反射されることを防止するために配置される。
【００７１】
前記第３カラー層３４０は前記第１開口部ＯＰ１の内壁、前記第２開口部ＯＰ２によって露出した前記第１カラー層の一部、及び前記第２開口部ＯＰ２の内壁に配置される。前記第３カラー層３４０は、前記第１開口部ＯＰ１に連結された第１カラー層３２０の側壁、前記第１カラー層３２０の露出した前記一部、及び第２開口部ＯＰ２に連結された第２カラー層３２０の一部が露出することを防止する。
【００７２】
前記第３カラー層３４０は実質的にブラックカラーを有することができる。しかし、これに制限されることはなく、前記第１及び第２開口部ＯＰ１、ＯＰ２に向かって入射した光が前記第１及び第２カラー層３２０、３３０の中の少なくとも１つによって反射されることを防止することができれば、何らかのカラーも有することができる。
【００７３】
前記第３カラー層３４０は複数の層の形で提供され得る。
【００７４】
以下、図２及び図７を参照して本発明のその他の実施形態によるウインドー部材３００に対して検討する。
【００７５】
前記第２カラー層３３０は、図５に図示された本発明のその他の実施形態の前記第２カラー層３３０と実質的に同一であるので、具体的な説明を省略する。
【００７６】
前記第３カラー層３４０は、前記第１及び第２開口部ＯＰ１、ＯＰ２に向かって入射した光が前記第１及び第２カラー層３２０、３３０の中の少なくとも１つによって反射されることを防止するために配置される。
【００７７】
前記第３カラー層３４０は、前記第１開口部ＯＰ１の内壁、前記第２開口部ＯＰ２によって露出した前記第１カラー層の一部、前記第２開口部ＯＰ２の内壁、及び前記第２カラー層３３０の露出した一面の少なくとも一部に配置される。前記第３カラー層３４０は前記第１開口部ＯＰ１に連結された第１カラー層３２０の側壁、前記第１カラー層３２０の露出した前記一部、及び第２開口部ＯＰ２に連結された第２カラー層３２０の一部が露出することを防止する。
【００７８】
前記第３カラー層３４０は実質的にブラックカラーを有することができる。しかし、これに制限されることはなく、前記第１及び第２開口部ＯＰ１、ＯＰ２に向かって入射した光が前記第１及び第２カラー層３２０、３３０の中の少なくとも１つによって反射されることを防止することができれば、何らかのカラーも有することができる。
【００７９】
前記第３カラー層３４０は複数の層の形で提供され得る。
【００８０】
以下、図２及び図８を参照して本発明のその他の実施形態によるウインドー部材３００に対して検討する。
【００８１】
前記第２カラー層３３０は、図５に図示された本発明のその他の実施形態の前記第２カラー層３３０と実質的に同一であるので、具体的な説明を省略する。
【００８２】
前記第３カラー層３４０は、前記第１及び第２開口部ＯＰ１、ＯＰ２に向かって入射した光が前記第１及び第２カラー層３２０、３３０の中の少なくとも１つによって反射されることを防止するために配置される。
【００８３】
前記第３カラー層３４０は前記第１開口部ＯＰ１の内壁、前記第２開口部ＯＰ２によって露出した前記第１カラー層の一部、前記第２開口部ＯＰ２の内壁、及び前記第２カラー層３３０の露出した一面に配置される。前記第３カラー層３４０は前記第１開口部ＯＰ１に連結された第１カラー層３２０の側壁、前記第１カラー層３２０の露出した前記一部、及び第２開口部ＯＰ２に連結された第２カラー層３２０が露出することを防止する。
【００８４】
前記第３カラー層３４０は実質的にブラックカラーを有することができる。しかし、これに制限されることはなく、前記第１及び第２開口部ＯＰ１、ＯＰ２に向かって入射した光が前記第１及び第２カラー層３２０、３３０の中の少なくとも１つによって反射されることを防止することができれば、何らかのカラーも有することができる。
【００８５】
前記第３カラー層３４０は複数の層の形で提供され得る。
【００８６】
以下、図２及び図９を参照して本発明のその他の実施形態による表示装置用ウインドー部材３００に対して検討する。
【００８７】
図９に図示された表示装置用ウインドー部材３００は、ベース部材３１０、第１カラー層３２０、第２カラー層３３０、第３カラー層３４０、及び第４カラー層３５０を含む。前記図９に図示された本発明のその他の実施形態によるウインドー部材３００は、図７に図示されたウインドー部材３００と実質的に同一のベース部材３１０、第１カラー層３２０、第２カラー層３３０、及び第３カラー層３４０を有するので、具体的な説明を省略し、第４カラー層３５０に対して詳細に検討する。
【００８８】
前記第４カラー層３５０は、前記第１開口部ＯＰ１に向かって入射した光の一部を透過させる。前記第４カラー層３５０のカラー、及び厚さによって、前記入射された光の透過率を調節することができる。
【００８９】
前記第４カラー層３５０は、前記第１カラー層３２０が配置された前記ベース部材３１０の一面の上に、前記第１開口部ＯＰ１に対応する領域に配置され得る。前記第４カラー層３５０は、前記第１開口部ＯＰ１に対応するのみでなく前記第２開口部ＯＰ２に対応する領域にも配置され得る。前記第４カラー層３５０は前記第１乃至第３カラー層３２０、３３０、３４０の厚さの合計より薄い厚さを有することができる。
【００９０】
前記第４カラー層３５０は、前記第１開口部ＯＰ１に向かって入射する前記光の透過率を調節することができれば、カラーに制限されない。前記第４カラー層３５０は複数の層の形で提供され得る。
【００９１】
図１０は、図９に図示された表示装置のウインドー部材３００と光センサー部４００とを示した斜視図であり、図１１Ａ及び図１１Ｂは図１０のＩＩ−ＩＩ’に沿って切断した断面図である。図１０、図１１Ａ、及び図１１Ｂにおいて、同一の構成要素は同一の参照符号を付する。
【００９２】
図１０、図１１Ａ、及び図１１Ｂに図示された前記ウインドー部材３００は図９に図示された前記ウインドー部材３００と実質的に同一であるので、具体的な説明を省略し、以下では前記光センサー部４００と関連する部分のみを詳細に説明する。
【００９３】
図１０、図１１Ａ、及び図１１Ｂを参照すれば、前記ウインドー部材３００は平面の上に表示領域ＡＲと前記表示領域ＡＲの少なくとも一部に隣接する非表示領域ＮＡＲとを含む。前記非表示領域ＮＡＲの中の少なくとも一部が光センサー領域ＮＡＲ−ＩＲとして定義される。図１１Ａ及び図１１Ｂには、前記光センサー領域ＮＡＲ−ＩＲは１つの領域であることを図示したが、これに制限されることはなく、前記光センサー領域ＮＡＲ−ＩＲは複数の領域であり得る。
【００９４】
前記光センサー部４００は表示装置の内部に前記光センサー領域ＮＡＲ−ＩＲに対応するように配置される。前記光センサー部４００は光発生部４１０と光受信部４２０とを含む。図１１Ａ及び図１１Ｂにおいて、前記光発生部４１０と前記光受信部４２０とは１つの前記光センサー領域ＮＡＲ−ＩＲに対応することを図示したが、本発明の他の実施形態による表示装置では、前記光発生部４１０と前記光受信部４２０とは互いに異なる光センサー領域に各々対応するように配置され得る。
【００９５】
前記光発生部４１０は表示装置内部から第１及び第２開口部ＯＰ１、ＯＰ２を通じて前記ウインドー部材３００の上方へ光を出射する。前記光は赤外線光であり得る。この際、前記ウインドー部材３００の上方へ出射された前記光の一部は前記第４カラー層３５０を通過し、前記第４カラー層３５０によって光透過率が調節される。前記第４カラー層３５０が無い場合には、前記光発生部４１０において発生して前記ベース部材３１０を通過した赤外線光は約９０％透過する。しかし、第４カラー層３５０を通過した赤外線光は７５％〜８５％透過し得る。前記第４カラー層３５０によって赤外線透過率を調節することによって、前記赤外線光がウインドー部材３００の上方へ過度に出射されることを防止する。前記光発生部４１０において発生して前記ウインドー部材３００の上方へ出射された光の少なくとも一部は、隣接する使用者５００によって反射されて前記第１及び第２開口部ＯＰ１、ＯＰ２を通じて入射し、前記光受信部４２０は入射した光を受信する。前記光受信部４２０に光が受信されるか否かによって表示パネルの表示の可否を決定する。
【００９６】
図１１Ａは隣接する使用者がいない際の光センサー部４００の動作を示した、ウインドー部材３００及び光センサー部４００の断面図であり、図１１Ｂは隣接する使用者５００がいる際の光センサー部４００の動作を示した、ウインドー部材３００及び光センサー部４００の断面図である。
【００９７】
図１１Ａを参照すれば、隣接する使用者がいない場合、前記光発生部４１０において発生した光の一部は前記第１及び第２開口部ＯＰ１、ＯＰ２を通じて前記ウインドー部材３００の上方へ出射される。前記光発生部４１０において発生した光の他の一部は前記第１乃至第３カラー層３２０、３３０、３４０に入射して、前記第３カラー層３４０によって大部分吸収される。
【００９８】
前記光発生部４１０において出射された光が前記光受信部４２０において受信されないので、表示装置はオン（ＯＮ）モードの状態で動作できる。
【００９９】
図１１Ｂを参照すれば、隣接する使用者５００がいる場合、前記光発生部４１０において発生して前記ウインドー部材３００の上方へ出射された光の一部は隣接する使用者５００によって反射されて前記第１及び第２開口部ＯＰ１、ＯＰ２を通じて表示装置内部へ入射し、前記光受信部４２０に受信される。前記光発生部４１０において発生した光の他の一部は前記第１乃至第３カラー層３２０、３３０、３４０に入射し、前記第３カラー層３４０によって大部分吸収される。
【０１００】
前記隣接する使用者５００は前記光発生部４１０で発生して前記ウインドー部材３００の上方へ出射された光の一部を反射させ得る何らかの実施形態も可能である。例えば、使用者のタッチや使用者が所定距離離隔された実施形態も可能であり、また、使用者ではない物体が適用され得る。
【０１０１】
前記光発生部４１０で出射された光が前記光受信部４２０で受信されないので、表示装置はオフ（ＯＦＦ）モードの状態で動作できる。
【０１０２】
一方、本発明は記載された実施形態に限定されることがなく、本発明の思想及び範囲を逸脱することなく多様に修正及び変形可能であることは、この技術分野で通常の知識を有する者には明確である。したがって、このような変形形態又は修正例は本発明の特許請求の範囲に属することと解釈できる。
【符号の説明】
【０１０３】
１００  表示パネル
２００  ハウジング
３００  ウインドー部材
３１０  ベース部材
３２０  第１カラー層
３３０  第２カラー層
３４０  第３カラー層
４００  光センサー部
４１０  光発生部
４２０  光受信部
【図１】
2013088806.tif 000003
【図２】
2013088806.tif 000004
【図３】
2013088806.tif 000005
【図４】
2013088806.tif 000006
【図５】
2013088806.tif 000007
【図６】
2013088806.tif 000008
【図７】
2013088806.tif 000009
【図８】
2013088806.tif 000010
【図９】
2013088806.tif 000011
【図１０】
2013088806.tif 000012
【図１１Ａ】
2013088806.tif 000013
【図１１Ｂ】
2013088806.tif 000014